(57)【要約】【課題】移動体端末において内線接続を可能とする内線電話システムを得ること。【解決手段】ゲートウェイとして機能する無線基地局が、ＳＩＰ経路を確立する際に受信したＳＩＰメッセージに含まれる個体情報に基づいて移動体端末−ゲートウェイ情報を作成し、当該移動体端末−ゲートウェイ情報に基づいて、当該固定ＩＰ電話から受信した下り音声データを当該移動体端末が在圏している第２の無線基地局へ向けて転送し、また、前記ＳＩＰメッセージに含まれるＳＤＰ情報の送信ポート番号および送信先アドレスを含むフィルタ情報を生成して前記第２の無線基地局へ送信するＳＩＰＵＡサーバ部６３を備え、移動体端末が在圏している無線基地局が、前記フィルタ情報と、受信した音声データの送信ポート番号および送信先アドレスとに基づいて音声データの転送を行う無線データ制御部５３を備える。【選択図】図２
2011244192.tif 000002
【特許請求の範囲】
【請求項１】
ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局を複数含む基地局群と、当該無線基地局を介して移動体端末と接続する固定ＩＰ電話と、を備える構成とし、前記移動体端末が前記固定ＩＰ電話との間で内線接続を可能とする内線電話システムであって、
前記複数の無線基地局のうちゲートウェイとして機能する第１の無線基地局が、
ＳＩＰ経路を確立する際に受信したＳＩＰメッセージに含まれる個体情報に基づいて、前記固定ＩＰ電話から移動体端末への下り音声データの転送先を示す情報である移動体端末−ゲートウェイ情報を作成し、当該移動体端末−ゲートウェイ情報に基づいて、当該固定ＩＰ電話から受信した下り音声データを当該移動体端末が在圏している無線基地局である第２の無線基地局へ向けて転送する呼制御手段と、
前記ＳＩＰメッセージに含まれるＳＤＰ情報の送信ポート番号および送信先アドレスを含む所定のフィルタ情報を生成し、当該フィルタ情報を前記第２の無線基地局へ送信するフィルタ情報送信手段と、
を備え、
前記第２の無線基地局が、
前記第１の無線基地局から受信したフィルタ情報と、当該第１の無線基地局から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送する無線データ制御手段、
を備えることを特徴とする内線電話システム。
【請求項２】
前記個体情報を、無線ベアラ識別子、前記固定ＩＰ電話の内線接続先となる移動体端末の識別子、当該移動体端末に割り当てられた移動体端末アドレス、および前記第２の無線基地局のアドレスとする、
ことを特徴とする請求項１に記載の内線電話システム。
【請求項３】
前記第１の無線基地局が、
コアネットワーク内の移動体管理装置に対して、前記固定ＩＰ電話の内線接続先となる移動体端末に対する着信要求を行わせ、着信応答を受信した移動体管理装置から、当該移動体端末が在圏する無線基地局の情報を取得する在圏位置探索手段、
をさらに備え、
前記呼制御手段は、前記在圏位置探索手段から取得した情報を、前記第２の無線基地局のアドレスとして用いる、
ことを特徴とする請求項２に記載の内線電話システム。
【請求項４】
前記固定ＩＰ電話と内線接続する移動体端末が、ハンドオーバにより在圏する無線基地局を前記第２の無線基地局から第３の無線基地局へ変更した場合、
前記第１の無線基地局の呼制御手段は、ハンドオーバの過程で取得した前記第３の無線基地局の個体情報に基づいて前記移動体端末−ゲートウェイ情報を更新し、更新後の移動体端末−ゲートウェイ情報に基づいて、前記固定ＩＰ電話から受信した下り音声データを前記移動体端末が在圏している第３の無線基地局へ向けて転送し、
前記第２の無線基地局は、前記フィルタ情報を前記移動体管理装置経由で前記第３の無線基地局へ転送し、
前記第３の無線基地局は、前記第２の無線基地局から転送されたフィルタ情報と、当該第１の無線基地局から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送する、
ことを特徴とする請求項１、２または３に記載の内線電話システム。
【請求項５】
ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局を複数含む基地局群、を備える構成とし、異なる無線基地局に在圏している移動体端末間で内線接続を可能とする内線電話システムであって、
前記複数の無線基地局のうちゲートウェイとして機能する第１の無線基地局が、
内線接続する一方の移動体端末である第１の移動体端末を収容する第２の無線基地局を経由するＳＩＰ経路を確立する際に受信したＳＩＰメッセージに含まれるＳＤＰ情報の送信ポート番号および送信先アドレスを含む第１のフィルタ情報を生成し、当該第１のフィルタ情報を、内線接続する他方の移動体端末である第２の移動体端末を収容する第３の無線基地局へ送信し、また、前記第３の無線基地局を経由するＳＩＰ経路を確立する際に受信したＳＩＰメッセージに含まれるＳＤＰ情報の送信ポート番号および送信先アドレスを含む第２のフィルタ情報を生成し、当該第２のフィルタ情報を、前記第２の無線基地局へ送信するフィルタ情報送信手段、
を備え、
前記第２の無線基地局が、
前記第１の無線基地局から受信した第２のフィルタ情報と、前記第３の無線基地局から受信した音声データの送信ポート番号および送信先アドレスとを比較し、合致した場合に、当該音声データを前記第１の移動体端末へ転送し、また、当該第２のフィルタ情報と、前記第１の移動体端末から受信した音声データの送信ポート番号および送信先アドレスとを比較し、合致した場合に、当該音声データを前記第３の無線基地局へ転送する第１の無線データ制御手段、
を備え、
前記第３の無線基地局が、
前記第１の無線基地局から受信した第１のフィルタ情報と、前記第２の無線基地局から受信した音声データの送信ポート番号および送信先アドレスとを比較し、合致した場合に、当該音声データを前記第２の移動体端末へ転送し、また、当該第１のフィルタ情報と、前記第２の移動体端末から受信した音声データの送信ポート番号および送信先アドレスとを比較し、合致した場合に、当該音声データを前記第２の無線基地局へ転送する第２の無線データ制御手段、
を備えることを特徴とする内線電話システム。
【請求項６】
前記第１の移動体端末と前記第２の移動体端末のうちの一方の移動体端末が、ハンドオーバにより在圏する無線基地局を変更した場合、
前記ハンドオーバ元の無線基地局は、自身が保持しているフィルタ情報を前記移動体管理装置経由で前記ハンドオーバ先の無線基地局へ転送し、
前記ハンドオーバ先の無線基地局は、前記ハンドオーバ元の無線基地局から転送されたフィルタ情報と、ハンドオーバを行った前記一方の移動体端末宛の音声データの送信ポート番号および送信先アドレスとを比較し、合致した場合に、当該音声データを当該一方の移動体端末へ転送し、また、当該フィルタ情報と、当該一方の移動体端末から受信した音声データの送信ポート番号および送信先アドレスとを比較し、合致した場合に、当該音声データを当該一方の移動体端末が内線接続している他方の移動体端末が在圏する無線基地局へ転送する、
ことを特徴とする請求項５に記載の内線電話システム。
【請求項７】
前記ローカルネットワークが、前記コアネットワークと接続するためのゲートウェイの機能を有するゲートウェイ装置をさらに備えることとし、
前記第１の無線基地局の処理を、前記ゲートウェイ装置が実行する、
ことを特徴とする請求項１〜６のいずれか１つに記載の内線電話システム。
【請求項８】
ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局と、当該無線基地局を介して移動体端末と接続する固定ＩＰ電話と、を備える構成とし、前記移動体端末が前記固定ＩＰ電話との間で内線接続を可能とする内線電話システムであって、
前記無線基地局が、
ＳＩＰ経路を確立する際に受信したＳＩＰメッセージに含まれる個体情報に基づいて、前記固定ＩＰ電話から移動体端末への下り音声データの転送先を示す情報である移動体端末−ゲートウェイ情報を作成し、当該移動体端末−ゲートウェイ情報に基づいて、当該固定ＩＰ電話から受信した下り音声データを前記移動体端末へ向けて転送する呼制御手段と、
前記ＳＩＰメッセージに含まれるＳＤＰ情報の送信ポート番号および送信先アドレスを含むフィルタ情報を生成し、当該フィルタ情報と、前記固定ＩＰ電話から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送する無線データ制御手段と、
を備えることを特徴とする内線電話システム。
【請求項９】
前記個体情報を、無線ベアラ識別子、前記固定ＩＰ電話の内線接続先となる移動体端末の識別子、当該移動体端末に割り当てられた移動体端末アドレス、および前記無線基地局のアドレスとする、
ことを特徴とする請求項８に記載の内線電話システム。
【請求項１０】
ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局を複数含む基地局群と、当該無線基地局を介して移動体端末と接続する固定ＩＰ電話と、を備える構成とし、前記移動体端末が前記固定ＩＰ電話との間で内線接続を可能とする内線電話システムにおける内線電話方法であって、
前記複数の無線基地局のうちゲートウェイとして機能する第１の無線基地局が、ＳＩＰ経路を確立する際に受信したＳＩＰメッセージに含まれる個体情報に基づいて、前記固定ＩＰ電話から移動体端末への下り音声データの転送先を示す情報である移動体端末−ゲートウェイ情報を作成する情報作成ステップと、
前記第１の無線基地局が、前記移動体端末−ゲートウェイ情報に基づいて、前記固定ＩＰ電話から受信した下り音声データを前記移動体端末が在圏している無線基地局である第２の無線基地局へ向けて転送するゲートウェイ無線基地局転送ステップと、
前記第１の無線基地局が、前記ＳＩＰメッセージに含まれるＳＤＰ情報の送信ポート番号および送信先アドレスを含む所定のフィルタ情報を生成し、当該フィルタ情報を前記第２の無線基地局へ送信するフィルタ情報送信ステップと、
前記第２の無線基地局が、前記第１の無線基地局から受信したフィルタ情報と、当該第１の無線基地局から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送する在圏無線基地局転送ステップと、
を含むことを特徴とする内線電話方法。
【請求項１１】
前記個体情報を、無線ベアラ識別子、前記固定ＩＰ電話の内線接続先となる移動体端末の識別子、当該移動体端末に割り当てられた移動体端末アドレス、および前記第２の無線基地局のアドレスとする、
ことを特徴とする請求項１０に記載の内線電話方法。
【請求項１２】
さらに、
前記第１の無線基地局が、コアネットワーク内の移動体管理装置に対して、前記固定ＩＰ電話の内線接続先となる移動体端末に対する着信要求を行わせ、着信応答を受信した移動体管理装置から、当該移動体端末が在圏する無線基地局の情報を取得する在圏位置探索ステップ、
を含み、
前記情報作成ステップでは、前記在圏位置探索ステップにおいて取得した情報を、前記第２の無線基地局のアドレスとして用いる、
ことを特徴とする請求項１１に記載の内線電話方法。
【請求項１３】
前記固定ＩＰ電話と内線接続する移動体端末が、ハンドオーバにより在圏する無線基地局を前記第２の無線基地局から第３の無線基地局へ変更した場合、
さらに、
前記第１の無線基地局が、ハンドオーバの過程で取得した前記第３の無線基地局の個体情報に基づいて前記移動体端末−ゲートウェイ情報を更新する情報更新ステップと、
前記第１の無線基地局が、更新後の移動体端末−ゲートウェイ情報に基づいて、前記固定ＩＰ電話から受信した下り音声データを前記移動体端末が在圏している第３の無線基地局へ向けて転送する更新後無線基地局転送ステップと、
前記第２の無線基地局が、前記フィルタ情報を前記移動体管理装置経由で前記第３の無線基地局へ転送するフィルタ情報転送ステップと、
前記第３の無線基地局が、前記第２の無線基地局から転送されたフィルタ情報と、当該第１の無線基地局から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送するハンドオーバ先無線基地局転送ステップと、
を含むことを特徴とする請求項１０、１１または１２に記載の内線電話方法。
【請求項１４】
ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局を複数含む基地局群、を備える構成とし、異なる無線基地局に在圏している移動体端末間で内線接続を可能とする内線電話システムにおける内線電話方法であって、
前記複数の無線基地局のうちゲートウェイとして機能する第１の無線基地局が、内線接続する一方の移動体端末である第１の移動体端末を収容する第２の無線基地局を経由するＳＩＰ経路を確立する際に受信したＳＩＰメッセージに含まれるＳＤＰ情報の送信ポート番号および送信先アドレスを含む第１のフィルタ情報を生成し、当該第１のフィルタ情報を、内線接続する他方の移動体端末である第２の移動体端末を収容する第３の無線基地局へ送信し、また、前記第３の無線基地局を経由するＳＩＰ経路を確立する際に受信したＳＩＰメッセージに含まれるＳＤＰ情報の送信ポート番号および送信先アドレスを含む第２のフィルタ情報を生成し、当該第２のフィルタ情報を、前記第２の無線基地局へ送信するフィルタ情報送信ステップと、
前記第２の無線基地局が、前記第１の無線基地局から受信した第２のフィルタ情報と、前記第３の無線基地局から受信した音声データの送信ポート番号および送信先アドレスとを比較し、合致した場合に、当該音声データを前記第１の移動体端末へ転送し、また、当該第２のフィルタ情報と、前記第１の移動体端末から受信した音声データの送信ポート番号および送信先アドレスとを比較し、合致した場合に、当該音声データを前記第３の無線基地局へ転送する第１の転送ステップと、
前記第３の無線基地局が、前記第１の無線基地局から受信した第１のフィルタ情報と、前記第２の無線基地局から受信した音声データの送信ポート番号および送信先アドレスとを比較し、合致した場合に、当該音声データを前記第２の移動体端末へ転送し、また、当該第１のフィルタ情報と、前記第２の移動体端末から受信した音声データの送信ポート番号および送信先アドレスとを比較し、合致した場合に、当該音声データを前記第２の無線基地局へ転送する第２の転送ステップと、
を含むことを特徴とする内線電話方法。
【請求項１５】
前記第１の移動体端末と前記第２の移動体端末のうちの一方の移動体端末が、ハンドオーバにより在圏する無線基地局を変更した場合、
さらに、
前記ハンドオーバ元の無線基地局が、自身が保持しているフィルタ情報を前記移動体管理装置経由で前記ハンドオーバ先の無線基地局へ転送するフィルタ情報転送ステップと、
前記ハンドオーバ先の無線基地局が、前記ハンドオーバ元の無線基地局から転送されたフィルタ情報と、ハンドオーバを行った前記一方の移動体端末宛の音声データの送信ポート番号および送信先アドレスとを比較し、合致した場合に、当該音声データを当該一方の移動体端末へ転送し、また、当該フィルタ情報と、当該一方の移動体端末から受信した音声データの送信ポート番号および送信先アドレスとを比較し、合致した場合に、当該音声データを当該一方の移動体端末が内線接続している他方の移動体端末が在圏する無線基地局へ転送するハンドオーバ先無線基地局転送ステップと、
を含むことを特徴とする請求項１４に記載の内線電話方法。
【請求項１６】
前記ローカルネットワークが、前記コアネットワークと接続するためのゲートウェイの機能を有するゲートウェイ装置をさらに備えることとし、
前記第１の無線基地局の処理を、前記ゲートウェイ装置が実行する、
ことを特徴とする請求項１０〜１５のいずれか１つに記載の内線電話方法。
【請求項１７】
ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局と、当該無線基地局を介して移動体端末と接続する固定ＩＰ電話と、を備える構成とし、前記移動体端末が前記固定ＩＰ電話との間で内線接続を可能とする内線電話システムにおける内線電話方法であって、
前記無線基地局が、ＳＩＰ経路を確立する際に受信したＳＩＰメッセージに含まれる個体情報に基づいて、前記固定ＩＰ電話から移動体端末への下り音声データの転送先を示す情報である移動体端末−ゲートウェイ情報を作成する情報作成ステップと、
前記無線基地局が、前記移動体端末−ゲートウェイ情報に基づいて、前記固定ＩＰ電話から受信した下り音声データを前記移動体端末へ向けて転送する第１の転送ステップと、
前記無線基地局が、前記ＳＩＰメッセージに含まれるＳＤＰ情報の送信ポート番号および送信先アドレスを含むフィルタ情報を生成し、当該フィルタ情報と、前記固定ＩＰ電話から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送する第２の転送ステップと、
を含むことを特徴とする内線電話方法。
【請求項１８】
前記個体情報を、無線ベアラ識別子、前記固定ＩＰ電話の内線接続先となる移動体端末の識別子、当該移動体端末に割り当てられた移動体端末アドレス、および前記無線基地局のアドレスとする、
ことを特徴とする請求項１７に記載の内線電話方法。
【発明の詳細な説明】
【技術分野】
【０００１】
本発明は、データリンク層のアドレス情報を保有しない移動体端末おいてＩＰ網を利用した内線接続を可能とする内線電話システムに関する。
【背景技術】
【０００２】
携帯電話システムや公衆移動通信システムを利用して内線電話システムを提供する技術が、下記特許文献１において開示されている。上記内線電話システムでは、無線基地局に接続されている中継装置（内線送受信サーバ）が、音声ユーザデータを、通信事業者の無線アクセス網を経由することなく、内線電話システム網内で転送可能とする。これにより、通信先と通信元の移動体端末が内線電話システム網内または同一無線基地局が提供するサービスエリアに在圏している場合には、音声ユーザデータが無線アクセス網およびコアネットワークを経由する冗長性を改善することができる。
【０００３】
また、公衆移動通信システムとは異なる無線プロトコルを利用した内線電話システムの技術が、下記非特許文献１において開示されている。ここでは、移動体端末が、公衆移動通信システム向けおよび内線電話システム向けの無線プロトコルを実行可能な構成を個別に備え、外線電話機能において公衆移動通信システムによる移動管理を行い、内線電話機能においてデータリンク層プロトコルであるＭＡＣ（Medium  Access  Control）層による移動管理を行っている。
【先行技術文献】
【特許文献】
【０００４】
【特許文献１】特開２００４−３６４０５４号公報
【非特許文献】
【０００５】
【非特許文献１】株式会社ＮＴＴドコモ著  「ＮＴＴＤｏＣｏＭｏテクニカル・ジャーナルＶｏｌ，１５  Ｎｏ．２」ｐ．１２〜１９  （社）電気通信協会出版  ２００７年７月１日発行
【発明の概要】
【発明が解決しようとする課題】
【０００６】
しかしながら、上記特許文献１の技術によれば、契約情報や番号体系に基づいて外線接続または内線接続を区別することで、呼制御を行うコアネットワーク装置（Mobile  Switching  Center：ＭＳＣ）の機能を、外線接続および内線接続で共通に利用しているため、公衆移動通信システムのプロトコル構成（回線交換方式による音声通話）を、そのまま内線電話システムに利用しなければならない。そのため、既存のローカルネットワーク網で構成されるＩＰ（Internet  Protocol）内線電話システム（ＶｏＩＰ（Voice  over  Internet  Protocol）方式による音声通話）と直接接続することができない、という問題があった。
【０００７】
また、上記非特許文献１の技術によれば、同一の移動体端末で外線電話機能および内線電話機能を実現する場合は、機能ごとに異なる無線アクセス技術を実装して移動管理を行う必要がある。そのため、移動体端末の構成を簡易にすることができない、という問題があった。
【０００８】
本発明は、上記に鑑みてなされたものであって、既存のネットワーク構成を利用しつつ、データリンク層のアドレス情報を保有しない移動体端末において内線接続を可能とする内線電話システムを得ることを目的とする。
【課題を解決するための手段】
【０００９】
上述した課題を解決し、目的を達成するために、本発明は、ローカルネットワークとコアネットワークがブロードバンド回線により接続され、前記ローカルネットワークが、前記コアネットワークと接続するためのゲートウェイの機能を有するとともに自局が提供するエリアに在圏する移動体端末を収容する無線基地局を複数含む基地局群と、当該無線基地局を介して移動体端末と接続する固定ＩＰ電話と、を備える構成とし、前記移動体端末が前記固定ＩＰ電話との間で内線接続を可能とする内線電話システムであって、前記複数の無線基地局のうちゲートウェイとして機能する第１の無線基地局が、ＳＩＰ経路を確立する際に受信したＳＩＰメッセージに含まれる個体情報に基づいて、前記固定ＩＰ電話から移動体端末への下り音声データの転送先を示す情報である移動体端末−ゲートウェイ情報を作成し、当該移動体端末−ゲートウェイ情報に基づいて、当該固定ＩＰ電話から受信した下り音声データを当該移動体端末が在圏している無線基地局である第２の無線基地局へ向けて転送する呼制御手段と、前記ＳＩＰメッセージに含まれるＳＤＰ情報の送信ポート番号および送信先アドレスを含む所定のフィルタ情報を生成し、当該フィルタ情報を前記第２の無線基地局へ送信するフィルタ情報送信手段と、を備え、前記第２の無線基地局が、前記第１の無線基地局から受信したフィルタ情報と、当該第１の無線基地局から受信した下り音声データの送信ポート番号および送信先アドレスとを比較し、合致した場合に、当該下り音声データを前記移動体端末へ転送し、また、当該フィルタ情報と、前記移動体端末から受信した上り音声データの送信ポート番号および送信先アドレスとを比較し、合致した場合に、当該上り音声データを前記固定ＩＰ電話へ直接転送する無線データ制御手段、を備えることを特徴とする。
【発明の効果】
【００１０】
本発明によれば、既存のネットワーク構成において、データリンク層のアドレス情報を保有しない移動体端末が内線接続をすることができる、という効果を奏する。
【図面の簡単な説明】
【００１１】
【図１】図１は、移動体通信ネットワークの構成例を示す図である。
【図２】図２は、無線基地局の構成例を示す図である。
【図３】図３は、内線用の位置登録を行う動作を示すシーケンス図である。
【図４−１】図４−１は、ＵＥ情報の構成例を示す図である。
【図４−２】図４−２は、ＵＥＧＷ情報の構成例を示す図である。
【図５】図５は、内線電話の発信動作を示すシーケンス図である。
【図６】図６は、内線電話の着信動作を示すシーケンス図である。
【図７】図７は、内線用音声データ経路の確立動作を示すシーケンス図である。
【図８】図８は、ＭＭＥ３２経由でハンドオーバを実現するＨｅＮＢ（在圏）切替動作を示すシーケンス図である。
【図９】図９は、Ｘ２ＡＰを利用したＨｅＮＢ（在圏）切替動作を示すシーケンス図である。
【図１０】図１０は、内線用音声データ経路の再確立動作を示すシーケンス図である。
【図１１−１】図１１−１は、実施の形態１における各装置の配置例を示す図である。
【図１１−２】図１１−２は、実施の形態２における各装置の配置例を示す図である。
【図１２】図１２は、移動体端末間で内線通話を行う場合の動作を示すシーケンス図である。
【発明を実施するための形態】
【００１２】
以下に、本発明にかかる内線電話システムの実施の形態を図面に基づいて詳細に説明する。なお、この実施の形態によりこの発明が限定されるものではない。
【００１３】
実施の形態１．
本実施の形態では、一例として、標準化団体の１つである３ＧＰＰ（3rd  Generation  Partnership  Project）で規定されるＬＴＥ（Long  Term  Evolution）の移動体通信ネットワークに適用した形態について説明する。なお、この形態に限定したものではない。
【００１４】
図１は、本実施の形態における移動体通信ネットワークの構成例を示す図である。移動体通信ネットワークは、ＶｏＩＰ機能を有する移動体端末（以下、ＵＥ（User  Equipment）とする）１−１，１−２，…からなる移動体端末群（ＵＥ群）１と、ローカルサービスエリア網であって、ブロードバンド回線２０を介してコアネットワーク３０と接続するローカルネットワーク１０と、ＵＥ１の移動管理を行うコアネットワーク３０と、通信事業者のサービス提供用のサーバ群で構築される通信事業者サービス網（ＩＭＳ：Internet  Multimedia  Subsystem）４０と、から構成される。
【００１５】
ローカルネットワーク１０は、無線基地局２−１，２−２，２−３，…からなる無線基地局群２と、ローカルネットワーク１０内で内線電話サービスを提供する呼制御サーバ３と、ローカルネットワークに対する接続認証、ＩＰアドレス割当およびその他ネットワーク情報の通知を担当するＲａｄｉｕｓサーバ４と、音声などのメディアデータの変換を行うＭＧＷ（Media  GateWay）５と、内線固定電話としてローカルネットワークに有線接続される固定ＩＰ電話６と、を備える。呼制御サーバ３、Ｒａｄｉｕｓサーバ４、ＭＧＷ５、固定ＩＰ電話６は、無線基地局群２を介してＵＥ群１やコアネットワーク３０と接続する。３ＧＰＰでは、ブロードバンド回線２０を介して家庭や企業などのローカルネットワークに設置される無線基地局を、特に、ＨｅＮＢ（Home  eNodeB）と呼ぶ。以下、無線基地局２−１，２−２，２−３，…を、ＨｅＮＢ２−１，２−２，２−３，…と表記し、無線基地局群２をＨｅＮＢ群２と表記する。
【００１６】
コアネットワーク３０は、ローカルネットワーク１０とコアネットワーク３０との間のＩＰ接続を保護するＩＰｓｅｃ機能を有するセキュリティＧａｔｅｗａｙ（ＧＷ）３１と、ＵＥ群１の移動体通信システム上における移動管理を行うＭＭＥ（Mobile  Mobility  Equipment）３２と、ユーザデータ通信のゲートウェイ機能を提供するＳ−ＧＷ（Serving  GateWay）３３と、コアネットワーク３０外のネットワークと接続するためのゲートウェイであるＰ−ＧＷ（Packet  Data  Network  GateWay）３４と、から構成される。コアネットワーク３０は、ＨｅＮＢ群２とコアネットワーク装置（ＭＭＥ３２、Ｓ−ＧＷ３３）間のデータ通信を保護するものである。
【００１７】
通信事業者サービス網４０は、移動体通信事業者が提供する呼制御機能を提供するＣＳＣＦ（Call  Service  Control  Function）４１と、ユーザ契約情報が格納されているＨＳＳ（Home  Subscriber  Server）４２と、から構成される。
【００１８】
呼制御サーバ３およびＣＳＣＦ４１は、それぞれ呼制御プロトコルであるＳＩＰ（Session  Initiation  Protocol）による内線呼制御、外線呼制御を提供する。公衆移動通信システムで音声通信を利用可能な全てのＵＥ１−１，１−２，…は、コアネットワーク３０およびＣＳＣＦ４１によって外線機能を利用することが可能である。
【００１９】
ＨＳＳ４２は、ユーザ契約情報として、内線接続を行うＵＥ１−１，１−２，…の内線電話サービス適用可否を判断するための内線用ＡＰＮ（Access  Point  Name）情報、内線電話グループを構成するＣＳＧ（Closed  Subscriber  Group）への参加可否情報を格納している。なお、内線電話グループは、ＣＳＧ以外の他のグループ識別子を利用してもよい。
【００２０】
コアネットワーク装置であるＭＭＥ３２は、ＵＥ１−１，１−２，…が内線接続要求を開始すると、ＵＥ１−１，１−２，…から送信された接続先ＡＰＮ情報および当該ＵＥ１−１，１−２，…の在圏ＣＳＧ情報に基づいてＨＳＳ４２に対して内線接続判定を行い、内線接続が許可された場合には、ユーザデータのゲートウェイ装置として機能する最適なＨｅＮＢを選択する。ＵＥ１−１，１−２，…から報告される接続先ＡＰＮ情報が内線接続以外の接続先を示す場合、ＭＭＥ３２は、通常のゲートウェイ選択方法に従い、Ｓ−ＧＷ３３を選択する。例えば、ＵＥ１−１，１−２，…が外線接続を行う場合、内線接続先ＡＰＮとは異なる外線接続用のＡＰＮに対して接続を行うため、本条件に該当する。
【００２１】
図２は、無線基地局（ＨｅＮＢ）の一例としてＨｅＮＢ２−１の構成例を示す図である。ＨｅＮＢ２−１は、ＬＴＥにおける無線伝送、無線制御を行う無線制御部５０と、自装置とコアネットワーク３０間の無線プロトコル、呼制御サーバ３と通信する呼制御プロトコル（ＳＩＰ）の連携、およびＵＥ群１に対するデータ経路確立を制御するゲートウェイ部６０と、自装置と有線ＩＰ接続されている装置との間でＩＰ通信を担当するＩＰ部７０と、を備える。なお、他のＨｅＮＢも同様の構成を備える。
【００２２】
無線制御部５０は、ＯＦＤＭＡ（Orthogonal  Frequency  Division  Multiple  Access）方式を利用して無線送受信を行う無線部５１と、通信対象のＵＥ、ＭＭＥ３２、および他のＨｅＮＢと連携して、ＲＲＣ（Radio  Resource  Control）、Ｓ１ＡＰ（S1  Application  Part）、Ｘ２ＡＰ（X2  Application  Part）などのプロトコルによる無線接続を制御する無線プロトコル部５２と、無線回線上のデータ送受信を制御する無線データ制御部５３と、無線上の電波を送受信するアンテナ５４と、を備える。
【００２３】
ゲートウェイ部６０は、探索対象のＵＥが収容されている在圏ＨｅＮＢをＭＭＥ３２の一斉呼出機能を利用して探索する在圏位置探索部６１と、無線回線上から受信したＩＰデータのプロトコル種別やフィルタリング情報に基づいてデータ種別判定を実行するＩＰ種別判定部６２と、ＩＰ種別判定部６２から転送されるＳＩＰメッセージのプロキシ機能を提供し、また、呼制御を行うＳＩＰＵＡサーバ部６３と、ＵＥの代理ユーザエージェントとして呼制御を行うＳＩＰＵＡクライアント部６４と、端末情報・呼制御情報など、ゲートウェイとしてサービスを提供するＵＥの情報を格納するためのデータベース６５と、ＭＭＥ３２とＧＴＰなどのプロトコルによるベアラ制御を行うベアラ制御部６６と、を備える。
【００２４】
つづいて、本実施の形態における移動体通信ネットワークにおいて、内線電話を行う動作について説明する。まず、移動体通信ネットワーク内で、ＵＥ１−１が、内線接続を提供するローカルネットワーク１０に内線用の位置登録を行う動作について説明する。図３は、ＵＥ１−１が、内線接続を提供するローカルネットワーク１０に内線用の位置登録を行う動作を示すシーケンス図である。ここでは、在圏無線基地局となるＨｅＮＢ（在圏）とゲートウェイ装置としてＭＭＥ３２に選択されるＨｅＮＢ（ＧＷ）が同一の装置となる場合について説明する。
【００２５】
まず、ＵＥ１−１が、事前の設定による内線ＣＳＧの検出による自動位置登録、または手動操作による手動位置登録を開始すると（ステップＳ１０１）、ＵＥ１−１とＨｅＮＢ（在圏）２−１との間で、ＲＲＣプロトコル手順に基づいた無線接続処理を行い、無線区間の通信経路を確立する（ステップＳ１０２）。
【００２６】
無線接続処理が完了すると、ＵＥ１−１は、ＨｅＮＢ（在圏）２−１を経由して、ＭＭＥ３２に対して内線接続を要求するために、内線用ＡＰＮ情報、内線接続認証用パラメータなどのＩＰ通信に必要となるネットワーク情報要求をメッセージ内に設定した内線用ベアラ設定要求を送信する（ステップＳ１０３）。内線接続認証用パラメータは、ユーザ名、パスワードを前提とするが、これに限定するものではなく、他の認証パラメータまたは認証手順を利用してもよい。
【００２７】
内線用ベアラ設定要求を受信したＭＭＥ３２は、ＵＥ１−１より通知された内線用ＡＰＮ情報、および端末識別子（ＩＭＳＩ（International  Mobile  Subscriber  Identity）またはＩＭＳＩに関連付けられたＴｅｍｐｏｒａｒｙ  ＩＤ等。ここでは、ＩＭＳＩを用いる）を使用して、ＨＳＳ４２に対して内線ＡＰＮ接続判定を依頼する（ステップＳ１０４）。
【００２８】
ＨＳＳ４２は、自身が備えるデータベースに格納されたＵＥ１−１の契約情報に基づいて、内線接続判定を実施する。ＨＳＳ４２による判定の結果、内線ＡＰＮ接続判定が許容された場合、ＭＭＥ３２は、内線用のゲートウェイ装置としてＨｅＮＢ（ＧＷ）２−１を選択する（ステップＳ１０５）。この時、前回選択したＨｅＮＢ（ＧＷ）２−１の情報がＨＳＳ４２に格納されている場合、ＭＭＥ３２は、格納されている情報に基づいてＨｅＮＢ（ＧＷ）２−１を選択してもよい。特に企業内網においては、自席が在圏となるＨｅＮＢ２−１配下にＵＥ１−１が存在している時間が長いことが想定されるため、ＵＥ１−１の電源ＯＮを行った際のＨｅＮＢ（在圏）２−１を、移動体通信ネットワークへの位置登録時の基準ＨｅＮＢ（ＧＷ）２−１としてＨＳＳ４２に登録することも有効である。
【００２９】
つぎに、ＭＭＥ３２は、ＨｅＮＢ（在圏）２−１に対して、ＵＥ１−１から要求された内線用ベアラ設定のために選択したゲートウェイ装置であるＨｅＮＢ（ＧＷ）２−１のＧＷアドレス、無線ベアラ識別子である無線ＢＲ−ＩＤを含むＵＥ情報設定要求を送信する（ステップＳ１０６）。ＨｅＮＢ（在圏）２−１では、無線プロトコル部５２が、無線パラメータの設定とともに、ＧＷアドレス、無線ＢＲ−ＩＤ、無線パラメータ等の個体情報を用いて、ＵＥ１−１の管理情報であるＵＥ情報を生成する（ステップＳ１０７）。無線プロトコル部５２は、作成したＵＥ情報をデータベース６５に格納する。その後、ＨｅＮＢ（在圏）２−１の無線プロトコル部５２は、ＭＭＥ３２に対して、ＵＥ情報を作成した旨のＵＥ情報設定応答を返信する。
【００３０】
図４−１は、ＵＥ情報の構成例を示す図である。ＵＥ情報は、ＨｅＮＢ（在圏）として機能する場合に使用する個体情報である。ＵＥ情報は、無線ＢＲ−ＩＤと、ＵＥアドレスと、ゲートウェイ（ＧＷ）アドレスと、ＴＦＴ情報（ＵＬ／ＤＬ）と、ＱｏＳ（Quality  of  Service）情報と、から構成される。無線ＢＲ−ＩＤは、無線ベアラの識別子である。ＵＥアドレスは、位置登録の対象のＵＥのアドレスである。ＧＷアドレスは、内線用のゲートウェイ装置であるＨｅＮＢ（ＧＷ）のアドレスである。ＴＦＴ情報（ＵＬ／ＤＬ）は、音声データのフィルタリングに使用する情報である。デフォルトで設定しておくことも可能である。ＱｏＳ情報は、サービスを提供するために必要な品質であり、遅延や帯域等で表す。
【００３１】
ＧＷアドレスと無線ＢＲ−ＩＤを対応付けることにより、ＨｅＮＢ（在圏）とＨｅＮＢ（ＧＷ）が異なる場合であっても、ＵＥ１−１から無線ＢＲ−ＩＤで送信されるＩＰデータを、ＨｅＮＢ（在圏）経由でＨｅＮＢ（ＧＷ）に転送するＩＰ転送経路を確立することが可能となる。なお、ＵＥ情報は、無線接続であるＲＲＣ  Ｃｏｎｎｅｃｔｉｏｎが破棄された場合には、ＨｅＮＢ（在圏）２−１から削除される情報である。
【００３２】
ＭＭＥ３２は、ＨｅＮＢ（在圏）２−１からＵＥ情報設定応答を受信すると、ＨｅＮＢ（在圏）２−１での無線パラメータの設定が完了したとして、ゲートウェイ装置であるＨｅＮＢ（ＧＷ）２−１の設定を開始するため、ＨｅＮＢ（ＧＷ）２−１に対して、在圏ＨｅＮＢアドレス、無線ＢＲ−ＩＤ、ＵＥ識別子（ＩＭＳＩ、ＭＳＩＳＤＮ（Mobile  Subscriber  ISDN  Number））、ＱｏＳ情報、内線認証用パラメータ等の個体情報を含むベアラ設定要求を送信する（ステップＳ１０８）。ＨｅＮＢ（ＧＷ）２−１では、ＳＩＰＵＡサーバ部６３が、受信した内線認証用パラメータに基づいて、Ｒａｄｉｕｓサーバ４との間で接続認証処理を開始する。接続認証完了後、ＨｅＮＢ（ＧＷ）２−１では、ＳＩＰＵＡサーバ部６３が、ＵＥ１−１に割当てるＵＥアドレス、呼制御サーバアドレス、ＤＮＳサーバアドレスなどネットワーク接続に必要となる情報をＲａｄｉｕｓサーバ４から取得し（ステップＳ１０９）、ゲートウェイ機能を提供するＵＥ１−１の管理情報であるＵＥＧＷ情報を生成する（ステップＳ１１０）。そして、ＳＩＰＵＡサーバ部６３は、作成したＵＥＧＷ情報をデータベース６５に格納する。
【００３３】
図４−２は、ＵＥＧＷ情報の構成例を示す図である。ＵＥＧＷ情報は、ＨｅＮＢ（在圏）として機能する場合に使用する個体情報である。ＵＥＧＷ情報は、ＵＥ識別子（ＮＡＩ）と、ＵＥ識別子（ＩＭＳＩ）と、ＳＩＰ  ＵＲＩと、ＵＥアドレスと、在圏ＨｅＮＢアドレスと、呼制御サーバアドレスと、ステータスと、ＴＦＴ情報（ＵＬ／ＤＬ）と、ＱｏＳ情報と、から構成される。ＵＥ識別子（ＮＡＩ）は、ＮＡＩ（Network  Access  Identifier）形式に基づいて作成したＵＥの認証用ＩＤである。ＵＥ識別子（ＩＭＳＩ）は、位置登録の対象のＵＥの固有の識別子である。ＳＩＰ  ＵＲＩは、位置登録の対象のＵＥのＳＩＰ  ＵＲＩを表す。ＵＥアドレスは、Ｒａｄｉｕｓサーバ４から取得した位置登録の対象のＵＥのアドレスである。在圏ＨｅＮＢアドレスは、位置登録の対象のＵＥ１が在圏するＨｅＮＢ（在圏）のアドレスである。呼制御サーバアドレスは、内線呼制御を提供する呼制御サーバ３のアドレスである。ステータスは、無線ベアラの現在の状態を示す。ＴＦＴ情報（ＵＬ／ＤＬ）は、音声データのフィルタリングに使用する情報である。デフォルトで設定しておくことも可能である。ＱｏＳ情報は、サービスを提供するために必要な品質であり、遅延や帯域等で表す。なお、この時点で記入できない項目については、後述の処理の過程で記入していくこととする。
【００３４】
ＵＥＧＷ情報を生成したＨｅＮＢ（ＧＷ）２−１では、無線プロトコル部５２が、ベアラ設定要求に含まれるＱｏＳ情報から本ベアラ設定の目的が呼制御プロトコルであるＳＩＰ通信用の接続であることを判定する。すると、ＨｅＮＢ（ＧＷ）２−１では、ＳＩＰＵＡライアント部６４が、ＵＥ識別子（ＩＭＳＩ）からＮＡＩ（Network  Access  Identifier）形式に基づいたＵＥ１のＩＭＰＩ（ＩＭＳ認証用  Private  User  ID）であるＵＥ識別子（ＮＡＩ）を作成し、呼制御サーバ３に対して、ＨｅＮＢ（ＧＷ）アドレスを使用してＵＥ１−１の代理登録を行う（ステップＳ１１１）。すなわち、ＨｅＮＢ（ＧＷ）２−１のＳＩＰＵＡライアント部６４が、ＳＩＰ  ＵＲＩ（ＮＡＩ）およびＧＷアドレスを含むＳＩＰ  ＲＥＧＩＳＴＥＲを呼制御サーバ３へ送信する。また、ＨｅＮＢ（ＧＷ）２−１のＳＩＰＵＡライアント部６４は、ＵＥ識別子（ＮＡＩ）の情報を、データベース６５に格納しているＵＥＧＷ情報に記録する。呼制御サーバ３は、登録を行うと、その応答として２００  ＯＫをＨｅＮＢ（ＧＷ）２−１へ送信する。
【００３５】
代理登録手順が完了すると、ＨｅＮＢ（ＧＷ）２−１では、ベアラ制御部６６が、ＭＭＥ３２を経由してＵＥ１−１に対して、ＵＥアドレス、呼制御サーバアドレスを割当てることで内線用ベアラ設定が完了したことを通知する（ステップＳ１１２）。
【００３６】
ＵＥアドレス、呼制御サーバアドレスを取得したＵＥ１−１は、内線用のＩＭＳ登録処理を開始するために、ＳＩＰ  ＲＥＧＩＳＴＥＲを送信する。ＳＩＰ  ＲＥＧＩＳＴＥＲを受信したＨｅＮＢ（ＧＷ）２−１では、ＩＰ種別判定部６２がＳＩＰ  ＲＥＧＩＳＴＥＲをＳＩＰメッセージと判定し、さらに、ＳＩＰＵＡサーバ部６３が、自身が備えるプロキシ機能に基づいてＳＩＰ  ＲＥＧＩＳＴＥＲを詳細に解析し、データベース６５に格納されているＵＥＧＷ情報とＳＩＰ  ＵＲＩ情報との関連付けを行う。図４−２に示すＵＥＧＷ情報において、ＳＩＰ  ＵＲＩの情報に該当する。その後、ＨｅＮＢ（ＧＷ）２−１では、ＳＩＰＵＡサーバ部６３が、ＳＩＰ  ＲＥＧＩＳＴＥＲに含まれるＵＥアドレスをＨｅＮＢ（ＧＷ）アドレスに変換し、ＩＰ部７０を介して呼制御サーバ３へＳＩＰ  ＲＥＧＩＳＴＥＲを転送する。呼制御サーバ３は、既に登録済みであるＳＩＰ  ＵＲＩ（ＮＡＩ）情報にＳＩＰ  ＵＲＩ情報を関連付けて登録情報を更新する（ステップＳ１１３）。呼制御サーバ３は、登録情報を更新すると、その応答として２００  ＯＫをＨｅＮＢ（ＧＷ）２−１経由でＵＥ１−１へ送信する。上記処理（ステップＳ１０１〜Ｓ１１３）が完了することで、ＵＥ１−１、ＨｅＮＢ（在圏／ＧＷ）２−１、および呼制御サーバ３において内線登録が完了となり、内線電話のサービスが提供可能な状態となる。
【００３７】
なお、ＨｅＮＢ（在圏）とＨｅＮＢ（ＧＷ）が異なる場合も、同様の処理で内線電話のサービスを提供可能な状態にすることができる。この場合、ＨｅＮＢ（在圏）とＨｅＮＢ（ＧＷ）との間でも通信を行うことになり、その分の送受信の処理が増えるが、ＨｅＮＢ内で行う処理および、ＨｅＮＢ以外との間で行う処理について、ＨｅＮＢ（在圏／ＧＷ）の場合と同様である。
【００３８】
つづいて、内線電話サービスについて、ＵＥ１−２から発信する場合の動作について説明する。図５は、内線電話の発信動作を示すシーケンス図である。ここでは、在圏ＨｅＮＢとなるＨｅＮＢ（在圏）２−２とゲートウェイ装置としてＭＭＥ３２に選択されたＨｅＮＢ（ＧＷ）２−３が異なるＨｅＮＢとなる場合について説明する。なお、ＵＥ１−２、ＨｅＮＢ（在圏）２−２、およびＨｅＮＢ（ＧＷ）２−３の間で、図３のシーケンス図に示す内線用の位置登録を行う動作が既に行われているものとする。
【００３９】
まず、ＵＥ１−２においてユーザ操作により内線発信を開始すると、ＵＥ１−２は、ＨｅＮＢ（在圏）２−２との間でＲＲＣ  Ｃｏｎｎｅｃｔｉｏｎ確立手順によって無線接続を確立し、ＨｅＮＢ（在圏）２−２を経由して、ＭＭＥ３２に対してサービス開始要求を通知する（ステップＳ２０１）。ＭＭＥ３２は、図３に示すステップＳ１０６、Ｓ１０７と同様のＵＥ情報設定処理を、ステップＳ２０２、Ｓ２０３にて行う。すなわち、ＭＭＥ３２は、ＨｅＮＢ（在圏）２−２に対してＵＥ情報設定要求を送信し、ＨｅＮＢ（在圏）２−２の無線プロトコル部５２が、受信したＵＥ情報設定要求に基づいてＵＥ情報を設定する。ここで、ＨｅＮＢ（在圏）２−２の無線プロトコル部５２がＵＥ情報を設定することにより、ＨｅＮＢ（在圏）２−２とＨｅＮＢ（ＧＷ）２−３との間で、ＨｅＮＢ（在圏）２−２からＨｅＮＢ（ＧＷ）２−３方向のＩＰ転送経路を確立することができる。ＨｅＮＢ（在圏）２−２の無線プロトコル部５２は、ＭＭＥ３２に対して、ＵＥ情報を設定した旨の応答であるＵＥ情報設定応答を返信する。
【００４０】
ＵＥ情報設定処理が完了すると、ＭＭＥ３２、ＨｅＮＢ（ＧＷ）２−３、およびＨｅＮＢ（在圏）２−２は、図３に示すステップＳ１０８のベアラ設定処理で生成したベアラ用のＵＥＧＷ情報の更新手順を実施する。すなわち、ＭＭＥ３２が、ＨｅＮＢ（ＧＷ）２−３へ個体情報を含むベアラ更新要求を送信すると、ＨｅＮＢ（ＧＷ）２−３のベアラ制御部６６が、受信したベアラ更新要求に基づいてＵＥＧＷ情報の更新を行う。これにより、ＨｅＮＢ（ＧＷ）２−３のＳＩＰＵＡサーバ部６３は、ＵＥ１−２の現在のＨｅＮＢ（在圏）位置などの最新情報を取得することができる。また、ＵＥＧＷ情報を更新することにより、ＨｅＮＢ（在圏）２−２とＨｅＮＢ（ＧＷ）２−３との間で、両方向で通信が可能なＩＰ転送経路を再確立することができる。ＨｅＮＢ（在圏）２−２のＳＩＰＵＡサーバ部６３は、ＭＭＥ３２に対して、ＵＥＧＷ情報を更新した旨の応答を返信する（ステップＳ２０４）。
【００４１】
前記処理（ステップＳ２０１〜Ｓ２０４）によってＩＰ送信可能となったＵＥ１−２は、内線電話の相手先となる固定ＩＰ電話６に向けてＳＩＰ  ＩＮＶＩＴＥを送信する。ＳＩＰ  ＩＮＶＩＴＥを受信したＨｅＮＢ（在圏）２−２では、無線部５１を介してＳＩＰ  ＩＮＶＩＴＥを受信した無線データ制御部５３が、データベース６５に格納されているＵＥ情報と照合を行い、ＩＰ転送先をゲートウェイアドレス宛（ここでは、ＨｅＮＢ（ＧＷ）２−３）としてＳＩＰ  ＩＮＶＩＴＥを転送する（ステップＳ２０５）。この時、無線データ制御部５３は、参照するデータベース６５には有効なフィルタ情報であるＴＦＴ（Traffic  Flow  Template）情報が存在しないため、デフォルト転送先であるゲートウェイアドレス宛（ＨｅＮＢ（ＧＷ）２−３）への転送を決定する。
【００４２】
ＳＩＰ  ＩＮＶＩＴＥを受信したＨｅＮＢ（ＧＷ）２−３では、ＳＩＰＵＡサーバ部６３が、ＳＩＰ  ＩＮＶＩＴＥのメディア種別により要求されるＱｏＳ情報、コネクション情報（ＵＥアドレス）、および通信ポート番号から、下りフィルタ情報を生成してＵＥＧＷ情報のＴＦＴ情報を更新する。そして、ＨｅＮＢ（ＧＷ）２−３では、ＳＩＰＵＡサーバ部６３が、ＳＩＰ  ＩＮＶＩＴＥのコネクション情報をＨｅＮＢ（在圏）アドレスに変換し、ＩＰ部７０を介して呼制御サーバ３へ転送する。呼制御サーバ３は、受信したＳＩＰ  ＩＮＶＩＴＥを、内線電話の相手先となる固定ＩＰ電話６へ転送する（ステップＳ２０６）。
【００４３】
ＳＩＰ  ＩＮＶＩＴＥを受信した固定ＩＰ電話６は、コネクション情報としてＨｅＮＢ（在圏）アドレスが設定されるため、音声ＲＴＰ（Real−Time  Protocol）データの送信先としてＨｅＮＢ（在圏）２−２を設定し、呼制御サーバ３に対してＳＤＰ（Session  Description  Protocol）を含む１８３  Ｓｅｓｓｉｏｎ  Ｐｒｏｇｒｅｓｓを返信する。呼制御サーバ３は、受信した１８３  Ｓｅｓｓｉｏｎ  Ｐｒｏｇｒｅｓｓを、ＨｅＮＢ（ＧＷ）２−３へ転送する。ＨｅＮＢ（ＧＷ）２−３では、ＳＩＰＵＡサーバ部６３が、１８３  Ｓｅｓｓｉｏｎ  Ｐｒｏｇｒｅｓｓに含まれるメディア種別により要求されるＱｏＳ情報、コネクション情報（固定ＩＰ電話アドレス）、および通信ポート番号から、上りフィルタ情報を生成して再度ＵＥＧＷ情報のＴＦＴ情報を更新する。その後、ＨｅＮＢ（ＧＷ）２−３のＳＩＰＵＡサーバ部６３は、ＨｅＮＢ（在圏）２−２を経由して、ＵＥ１に対して１８３  Ｓｅｓｓｉｏｎ  Ｐｒｏｇｒｅｓｓを送信する。これにより、ＵＥ１−２、固定ＩＰ電話６間の内線用ＳＩＰ経路を確立することが可能となり、以降のＳＩＰメッセージは同様のＩＰ経路を利用して送受信が行われる（ステップＳ２０７）。
【００４４】
つづいて、内線電話サービスについて、固定ＩＰ電話６から発信し、ＵＥ１−２で着信する場合の動作について説明する。図６は、内線電話の着信動作を示すシーケンス図である。図５のシーケンス図の場合と同様に、在圏ＨｅＮＢとなるＨｅＮＢ（在圏）２−２とゲートウェイ装置としてＭＭＥ３２に選択されたＨｅＮＢ（ＧＷ）２−３が異なるＨｅＮＢとなる場合について説明する。また、ＵＥ１−２、ＨｅＮＢ（在圏）２−２、およびＨｅＮＢ（ＧＷ）２−３の間で、図３のシーケンス図に示す内線用の位置登録を行う動作が既に行われているものとする。
【００４５】
固定ＩＰ電話６において内線発信を開始すると、固定ＩＰ電話６は、ＨｅＮＢ（ＧＷ）２−３に向けて、ＳＩＰ  ＵＲＩをＵＥとするＳＩＰ  ＩＮＶＩＴＥを送信する。ＳＩＰ  ＩＮＶＩＴＥを受信した呼制御サーバ３では、さらに、Ｃｏｎｔａｃｔ：ＧＷアドレスとして、ＳＩＰ  ＩＮＶＩＴＥをＨｅＮＢ（ＧＷ）２−３へ転送する。ＨｅＮＢ（ＧＷ）２−３では、ＳＩＰＵＡサーバ部６３が、ＳＩＰ  ＩＮＶＩＴＥに含まれるメディア種別により要求されるＱｏＳ情報、コネクション情報（固定ＩＰ電話アドレス）および通信ポート番号から、上りフィルタ情報を生成してＵＥＧＷ情報のＴＦＴ情報を更新する（ステップＳ３０１）。
【００４６】
さらに、ＨｅＮＢ（ＧＷ）２−３のＳＩＰＵＡサーバ部６３は、ＳＩＰ  ＩＮＶＩＴＥの転送先についてデータベース６５に問合せを行い、ＵＥＧＷ情報の在圏ＨｅＮＢアドレスが存在しない場合には、在圏位置探索部６１に対してＩＰ転送経路確立を要求する（ステップＳ３０２）。ＨｅＮＢ（ＧＷ）２−３の在圏位置探索部６１は、ＭＭＥ３２に対してＵＥ１−２に対するベアラ再確立を要求するため着信要求を送信する（ステップＳ３０３）。着信要求を受信したＭＭＥ３２は、ＵＥ１−２の位置管理エリアであるＴＡ（Tracking  Area）に対して着信一斉呼出手順を起動する（ステップＳ３０４）。着信一斉呼出を受信したＵＥ１−２は、ＨｅＮＢ（在圏）２−２との間のＲＲＣ  Ｃｏｎｎｅｃｔｉｏｎの再確立を行い、ＭＭＥ３２に対して着信応答を報告する（ステップＳ３０５）。
【００４７】
上記処理（ステップＳ３０４〜Ｓ３０５）によって、ＭＭＥ３２は、ＨｅＮＢ（在圏）アドレスおよびＨｅＮＢ（ＧＷ）アドレスを取得したため、つぎに、図５のシーケンス図に示すステップＳ２０２、Ｓ２０３のＵＥ情報設定処理、およびステップＳ２０４のベアラ更新手順と同様の処理を、ステップＳ３０６、Ｓ３０７で行う。
【００４８】
ＵＥ情報設定処理として、ＭＭＥ３２は、ＨｅＮＢ（在圏）２−２に対して、ＧＷアドレスや無線ＢＲ−ＩＤを含むＵＥ情報設定要求を送信する。ＨｅＮＢ（在圏）２−２のＳＩＰＵＡサーバ部６３は、受信したＵＥ情報設定要求に基づいてＵＥ情報を設定する。そして、ＨｅＮＢ（在圏）２−２のＳＩＰＵＡサーバ部６３は、ＭＭＥ３２に対して、ＵＥ情報を設定した旨のＵＥ情報設定応答を返信する（ステップＳ３０６）。
【００４９】
また、ベアラ更新処理として、ＭＭＥ３２は、ＨｅＮＢ（ＧＷ）２−３に対して、在圏ＨｅＮＢアドレス、無線ＢＲ−ＩＤ、ＴＦＴ情報、ＱｏＳ情報等の個体情報を含むベアラ更新要求を送信する。ＨｅＮＢ（ＧＷ）２−３のＳＩＰＵＡサーバ部６３は、受信したベアラ更新要求に基づいてＵＥＧＷ情報を更新する。これにより、ＨｅＮＢ（ＧＷ）２−３は、ＵＥ１−２の現在のＨｅＮＢ（在圏）２−２位置などの最新情報を取得することができる。また、ＵＥＧＷ情報を更新することにより、ＨｅＮＢ（在圏）２−２とＨｅＮＢ（ＧＷ）２−３との間で、両方向で通信が可能なＩＰ転送経路を再確立することができる。そして、ＨｅＮＢ（ＧＷ）２−３のＳＩＰＵＡサーバ部６３は、受信したＳＩＰ  ＩＮＶＩＴＥに対するＳＩＰ転送経路を決定する。ＨｅＮＢ（在圏）２−２のＳＩＰＵＡサーバ部６３は、ＭＭＥ３２に対して、ＵＥＧＷ情報を更新した旨のベアラ更新応答を返信する（ステップＳ３０７）。
【００５０】
ＨｅＮＢ（ＧＷ）２−３では、在圏位置探索部６１によってＩＰ転送経路であるＨｅＮＢ（在圏）アドレスが判明したため、在圏位置探索部６１が、ＳＩＰＵＡサーバ部６３へＩＰ転送先を通知する。これにより、ＳＩＰＵＡサーバ部６３は、Ｃｏｎｔａｃｔの情報をＧＷアドレスからＵＥアドレスに変更して、ＩＰ部７０を経由してＨｅＮＢ（在圏）２−２へ、ＳＩＰ  ＩＮＶＩＴＥを転送する。ＨｅＮＢ（在圏）２−２は、受信したＳＩＰ  ＩＮＶＩＴＥをＵＥ１−２へ転送する。ＵＥ１−２は、ＳＩＰ  ＩＮＶＩＴＥのＩＰ転送経路に基づいて、応答メッセージである１８３  Ｓｅｓｓｉｏｎ  ＰｒｏｇｒｅｓｓをＨｅＮＢ（在圏）２−２へ送信する。これにより、ＵＥ１−２、固定ＩＰ電話６の間の内線用ＳＩＰ経路を確立することが可能となる（ステップＳ３０８）。
【００５１】
図５、６のシーケンス図を用いて、ＵＥ１やＨｅＮＢ２の間で音声発着信における内線用ＳＩＰ経路を確立する動作について説明したが、つぎに、内線用音声データ経路を確立する動作について説明する。図７は、内線用音声データ経路の確立動作を示すシーケンス図である。
【００５２】
ＨｅＮＢ（ＧＷ）２−３のＳＩＰＵＡサーバ部６３では、内線ＳＩＰ経路の確立手順において、ＳＩＰ  ＩＮＶＩＴＥおよび１８３  Ｓｅｓｓｉｏｎ  Ｐｒｏｇｒｅｓｓに含まれるＳＤＰ情報等に基づいて、上り／下りフィルタ情報であるＴＦＴ情報を作成し、データベース６５に格納されているＵＥＧＷ情報に記録している（ステップＳ４０１）。
【００５３】
すなわち、ＵＥ１−２が、ＨｅＮＢ（在圏）２−２を経由してＨｅＮＢ（ＧＷ）２−３に対して、ＳＩＰ  ＵＲＩ、ＵＥアドレス、ＳＤＰ情報等を含むＳＩＰ  ＩＮＶＩＴＥを送信する。ＨｅＮＢ（ＧＷ）２−３のＳＩＰＵＡサーバ部６３は、ＳＩＰ  ＩＮＶＩＴＥに含まれるＳＤＰ情報に基づいて、下りフィルタ情報を生成する。その後、ＨｅＮＢ（ＧＷ）２−３のＳＩＰＵＡサーバ部６３は、ＵＥアドレスを在圏ＨｅＮＢアドレスに変更したＳＩＰ  ＩＮＶＩＴＥを、呼制御サーバ３を経由して固定ＩＰ電話６へ送信する。固定ＩＰ電話６は、呼制御サーバ３を経由して、ＨｅＮＢ（ＧＷ）２−３に対して、固定ＩＰ電話アドレス、ＳＤＰ情報を含む１８３  Ｓｅｓｓｉｏｎ  Ｐｒｏｇｒｅｓｓを送信する。ＨｅＮＢ（ＧＷ）２−３のＳＩＰＵＡサーバ部６３は、１８３  Ｓｅｓｓｉｏｎ  Ｐｒｏｇｒｅｓｓに含まれるＳＤＰ情報に基づいて、上りフィルタ情報を生成する。その後、ＨｅＮＢ（ＧＷ）２−３のＳＩＰＵＡサーバ部６３は、ＨｅＮＢ（在圏）２−２を経由してＵＥ１−２に対して、１８３  Ｓｅｓｓｉｏｎ  Ｐｒｏｇｒｅｓｓを転送する。
【００５４】
上記ＳＩＰ  ＱｏＳ確立手順を実施後、ＨｅＮＢ（ＧＷ）２−３の無線制御プロトコル部５２は、ＭＭＥ３２を経由して、固定ＩＰ電話アドレスとＴＦＴ情報を含む内線通話用ベアラ設定要求を、ＨｅＮＢ（在圏）２−２へ送信する。内線通話用ベアラ設定要求を受信したＨｅＮＢ（在圏）２−２では、無線データ制御部５３が、フィルタ情報を設定する。すなわち、ＵＥ情報のＴＦＴ情報を更新する。そして、無線データ制御部５３は、通過するＩＰデータに対してフィルタ情報との整合性確認処理を開始する。
【００５５】
具体的に、無線データ制御部５３は、固定ＩＰ電話６からＨｅＮＢ（在圏）２−２が受信する音声データに関しては、ＴＦＴ情報として、ＲＴＰパケットの送信ポート番号および送信先アドレスに、ＵＥ１−２がＳＤＰ情報に設定したポート番号およびＨｅＮＢ（在圏）アドレスが設定されていた場合、フィルタ情報に合致すると判定して、関連する内線通話用ベアラに割当てられる無線ＢＲ−ＩＤ、すなわちＵＥ１−２に転送する。
【００５６】
また、無線データ制御部５３は、ＵＥ１−２からＨｅＮＢ（在圏）２−２が受信する音声データに関しては、ＴＦＴ情報として、固定ＩＰ電話６がＳＤＰ情報に設定したポート番号および固定ＩＰ電話アドレスが設定されていた場合、フィルタ情報に合致すると判定して、ＨｅＮＢ（在圏）２−２から固定ＩＰ電話アドレス、すなわち固定ＩＰ電話６に向けて直接ＲＴＰパケットを転送する。
【００５７】
このように、ＨｅＮＢ（在圏）２−２の無線データ制御部５３は、無線ＢＲ−ＩＤにおけるＩＰ通信にＴＦＴ情報を適用し、フィルタ情報に合致するＩＰデータを直接ローカルネットワークに転送する。
【００５８】
ＨｅＮＢ（在圏）２−２のＳＩＰＵＡサーバ部６３は、ＵＥ情報更新に伴い、ＵＥ１−２との間で無線設定の更新を行う。そして、ＨｅＮＢ（在圏）２−２の無線プロトコル部５２は、ＭＭＥ３２を経由してＨｅＮＢ（ＧＷ）２−３に対して、無線ＢＲ−ＩＤおよび在圏ＨｅＮＢアドレスを含む内線通話用ベアラ設定応答を送信する（ステップＳ４０２）。
【００５９】
なお、ＨｅＮＢ（ＧＷ）２−３のベアラ制御部６６は、ＭＭＥ３２を経由してフィルタ情報を、内線通話用ベアラ設定要求を使用してＨｅＮＢ（在圏）２−２に通知しているが、これに限定するものではなく、Ｘ２ＡＰを利用してＨｅＮＢ（ＧＷ）２−３から直接ＨｅＮＢ（在圏）２−２にフィルタ情報を通知してもよい。
【００６０】
内線通話用ベアラ設定処理が完了後、ＵＥ１−２では、ユーザ操作等によって入力インターフェースより着信応答を行うと、ＳＩＰ  ２００ＯＫシーケンスが開始される。具体的に、ＵＥ１−２は、ＳＩＰ  ２００ＯＫを、ＨｅＮＢ（在圏）２−２、ＨｅＮＢ（ＧＷ）２−３、および呼制御サーバ３を経由して、固定ＩＰ電話６へ送信する。ＳＩＰ  ２００ＯＫを受信した固定ＩＰ電話６は、その応答として、ＳＩＰ  ＡＣＫを、呼制御サーバ３、ＨｅＮＢ（ＧＷ）２−３、およびＨｅＮＢ（在圏）２−２を経由して、ＵＥ１−２へ送信する。これにより、ＵＥ１−２と固定ＩＰ電話６との間で音声データ経路が確立され、音声通話が可能となる（ステップＳ４０３）。また、ＵＥ1、固定ＩＰ電話６間の内線通話用の音声データ経路を最短経路で確立することが可能となる。
【００６１】
すなわち、下り音声データ経路として、固定ＩＰ電話６が音声データを送信する場合、設定されたＨｅＮＢ（在圏）２−２宛に送信し、ＨｅＮＢ（在圏）２−２は関連する内線通話用ベアラに割当てられる無線ＢＲ−ＩＤ、すなわちＵＥ１−２に転送する。ＨｅＮＢ（在圏）２−２は、音声データに、ＴＦＴ情報としてＵＥ１−２がＳＤＰ情報に設定したポート番号およびＵＥアドレスが設定されていた場合、フィルタ条件に合致するとして固定ＩＰ電話６から受信した音声データをＵＥ１−２へ転送する（ステップＳ４０４）。
【００６２】
また、上り音声データ経路として、ＵＥ１−２が音声データを送信する場合、ＨｅＮＢ（在圏）２−２がこれを受信する。ＨｅＮＢ（在圏）２−２は、音声データに、ＴＦＴ情報として固定ＩＰ電話６がＳＤＰ情報に設定したポート番号および固定ＩＰ電話アドレスが設定されていた場合、フィルタ条件に合致するとしてＨｅＮＢ（在圏）２−２から受信した音声データを固定ＩＰ電話６へ直接転送する（ステップＳ４０５）。
【００６３】
このように、データリンク層のアドレス情報を保有しない移動体通信ネットワークにおいて、ＳＩＰ経路、音声データ経路の確立およびその経路最適化が可能となり、無線基地局サブシステムを適用することで内線電話システムを構築することが可能となる。なお、ＨｅＮＢ（在圏）とＨｅＮＢ（ＧＷ）が異なる場合について説明したが、ＨｅＮＢ（在圏）とＨｅＮＢ（ＧＷ）が同一の場合についても、同様の内線電話システムを構築することが可能となる。この場合、ＨｅＮＢ（在圏）とＨｅＮＢ（ＧＷ）間で行われる通信は省略されるが、その他の処理は上記同等である。
【００６４】
つづいて、移動体通信ネットワークにおいて、ハンドオーバを伴う場合のＨｅＮＢ（在圏）切替動作およびＳＩＰ経路再確立手順について説明する。まず、ハンドオーバ時のＨｅＮＢ（在圏）切替動作として、ＭＭＥ３２経由で実現する場合について説明する。図８は、ＭＭＥ３２経由でハンドオーバを実現するＨｅＮＢ（在圏）切替動作を示すシーケンス図である。
【００６５】
ＨｅＮＢ（移動元）２−２の無線部５１は、内線通信中のＵＥ１−２に対して、通信品質の測定結果として在圏セル測定結果と周辺セル測定結果の報告を要求する。周期的またはイベント検出により、ＵＥ１−２は、適宜、ＨｅＮＢ（移動元）２−２に対して測定結果を報告する（ステップＳ５０１）。
【００６６】
ＨｅＮＢ（移動元）２−２の無線部５１は、ＵＥ１−２からの測定結果の報告に基づいて、在圏セル測定品質の低下および周辺セル測定品質の向上から、ＨｅＮＢ（移動元）に設定されたハンドオーバ判定基準を満足した場合に、ＨｅＮＢ（在圏）切替シーケンスの開始を決定する。
【００６７】
ハンドオーバ開始を決定したＨｅＮＢ（移動元）２−２の無線部５１は、ＨｅＮＢ（移動先）２−４に対してハンドオーバ準備を要求するために、ＭＭＥ３２に対してハンドオーバ判定報告を送信する。ハンドオーバ判定報告を受信したＭＭＥ３２は、ＨｅＮＢ（移動先）２−４に対して、ＧＷアドレス、無線ＢＲ−ＩＤ、ＱｏＳ情報を含むハンドオーバ要求を送信する。
【００６８】
ＨｅＮＢ（移動先）２−４の無線プロトコル部５２は、受信したハンドオーバ要求に基づいて、現在ＨｅＮＢ（移動元）２−２で使用中のＧＷアドレス、無線ＢＲ−ＩＤ、ＱｏＳ情報を用いて、ＵＥ１−２の管理情報であるＵＥ情報を生成し、生成したＵＥ情報をデータベース６５に格納する。その後、ＨｅＮＢ（移動先）２−４の無線プロトコル部５２は、ＭＭＥ３２に対して、ハンドオーバ要求に対する応答（ハンドオーバ要求応答）を送信する（ステップＳ５０２）。
【００６９】
ステップＳ５０２までの処理によってハンドオーバ準備が完了すると、ＭＭＥ３２は、ＨｅＮＢ（移動元）２−２に対して、ＨｅＮＢ（移動先）アドレスを含むハンドオーバ指示を送信する。ハンドオーバ指示を受信したＨｅＮＢ（移動元）２−２の無線プロトコル部５２は、データベース６５に格納しているＵＥ１−２用のＵＥ情報を更新する。そして、ＨｅＮＢ（移動元）２−２の無線プロトコル部５２は、ＵＥ情報の更新内容に基づいて、ＨｅＮＢ（移動元）２−２宛に送信された下りＳＩＰメッセージをＨｅＮＢ（移動先）２−４宛に転送し、無線プロトコル部５２は、ＵＥ１−２へハンドオーバ指示を送信する（ステップＳ５０３）。
【００７０】
ＳＩＰ転送経路を確立後、ＨｅＮＢ（移動元）２−２の無線プロトコル部５２は、ＭＭＥ３２経由で、その他のＵＥ情報をＨｅＮＢ（移動先）２−４に転送する。その他のＵＥ情報を受信したＨｅＮＢ（移動先）２−４の無線プロトコル部５２は、ＵＥ情報を更新する。これにより、ＨｅＮＢ（移動元）２−２とＨｅＮＢ（移動先）２−４との間で、ＵＥ１−２に関するＵＥ情報の同期を取る（ステップＳ５０４）。
【００７１】
ＵＥ１−２は、ＨｅＮＢ（移動先）２−４へのハンドオーバに成功すると、ＨｅＮＢ（移動先）２−４を経由して、ＭＭＥ３２へハンドオーバ完了通知を送信する（ステップＳ５０５）。ＭＭＥ３２は、ＵＥ１−２からのハンドオーバ完了通知を受信することで、ＵＥ１−２がＨｅＮＢ（移動先）２−４に在圏したことを認識する。
【００７２】
ステップＳ５０５までの処理によって、固定ＩＰ電話６とＵＥ１−２との間では、ステップＳ５０６で示されるＳＩＰ転送経路が確立される。すなわち、固定ＩＰ電話６からの下りＳＩＰメッセージは、呼制御サーバ３、ＨｅＮＢ（ＧＷ）２−３、ＨｅＮＢ（移動元）２−２、ＨｅＮＢ（移動先）２−４を経由して、ＵＥ１−２に送信される。なお、ＵＥ１−２からの上りＳＩＰメッセージについては、既にＨｅＮＢ（移動元）２−２とＨｅＮＢ（移動先）２−４との間でハンドオーバが完了していることから、ＨｅＮＢ（移動先）２−４を経由して、固定ＩＰ電話６に送信される。
【００７３】
ハンドオーバ完了を認識すると、ＭＭＥ３２は、ベアラ更新要求を開始する。すなわち、ＨｅＮＢ（ＧＷ）２−３に格納されるＵＥＧＷ情報のうち、在圏ＨｅＮＢアドレスをＨｅＮＢ（移動先）２−４のアドレスに変更を行う（ステップＳ５０７）。
【００７４】
具体的には、ＭＭＥ３２は、ＨｅＮＢ（ＧＷ）２−３に対して、在圏ＨｅＮＢアドレス、無線ＢＲ−ＩＤ、ＵＥ識別子、ＱｏＳ情報を含むベアラ更新要求を送信する。ＨｅＮＢ（ＧＷ）２−３のベアラ制御部６６は、受信したベアラ更新要求に基づいて、ＵＥＧＷ情報の更新を行う。これにより、ＨｅＮＢ（ＧＷ）２−３のＳＩＰＵＡサーバ部６３は、ＵＥ１−２の現在のＨｅＮＢ（在圏）２−４位置などの最新情報を取得することができる。また、ＵＥＧＷ情報を更新することにより、ＨｅＮＢ（在圏）２−４とＨｅＮＢ（ＧＷ）２−３との間で、両方向で通信が可能なＩＰ転送経路を更新することができる。ＨｅＮＢ（ＧＷ）２−３のベアラ制御部６６は、ＭＭＥ３２に対して、ＵＥＧＷ情報を更新した旨のベアラ更新応答を返信する。
【００７５】
これにより、固定ＩＰ電話６からＵＥ１−２への下りＳＩＰメッセージ転送経路の最適化を行うことができたため、ＵＥ１−２と固定ＩＰ電話６との間の双方向のＳＩＰメッセージ転送経路の最適化が完成する（ステップＳ５０８）。
【００７６】
なお、ハンドオーバ完了後、ＨｅＮＢ（移動元）２−２では、データベース６５にＵＥ１−２に関する不要なＵＥ情報を継続して保持している。そのため、ＭＭＥ３２が、ＨｅＮＢ（移動元）２−２に対して、ＵＥ１−２に関するＵＥ情報の削除を指示するＨｅＮＢ設定解除要求を送信する。ＨｅＮＢ（移動元）２−２の無線プロトコル部５２は、受信したＨｅＮＢ設定解除要求に基づいて、データベース６５に格納しているＵＥ１−２に関するＵＥ情報を削除する。ＨｅＮＢ（移動元）２−２の無線プロトコル部５２は、ＵＥ１−２に関するＵＥ情報を削除した旨の応答として、ＭＭＥ３２に対して、ＨｅＮＢ設定解除応答を送信する（ステップＳ５０９）。
【００７７】
このように、ＵＥ１−２がＨｅＮＢ（在圏）を移動した場合においても、Ｓ１ＡＰを利用して、ＳＩＰ転送経路を最適な（最短）経路に維持することが可能となる。
【００７８】
つづいて、移動体通信ネットワークにおいて、ハンドオーバを伴う場合のＨｅＮＢ（在圏）切替動作として、ＨｅＮＢ間のＸ２ＡＰを利用してＨｅＮＢ（在圏）切替動作を行う場合について説明する。図９は、Ｘ２ＡＰを利用したＨｅＮＢ（在圏）切替動作を示すシーケンス図である。３ＧＰＰのＬＴＥ標準においては、ＨｅＮＢのハンドオーバ処理に関してＸ２インターフェースの規定は存在していないが、本発明における内線電話システムを構成する無線基地局ではＸ２インターフェースを備えるものとする。
【００７９】
ＨｅＮＢ（移動元）２−２の無線部５１は、図８のシーケンス図に示すステップＳ５０１と同様に、内線通信中のＵＥ１−２に対して、在圏セル測定結果と周辺セル測定結果の報告を要求する。周期的またはイベント検出により、ＵＥ１−２は、適宜、ＨｅＮＢ（移動元）２−２に対して測定報告を行う（ステップＳ６０１）。
【００８０】
ＨｅＮＢ（移動元）２−２の無線部５１は、ＵＥ１−２からの測定結果の報告に基づいて、在圏セル測定品質の低下および周辺セル測定品質の向上から、ＨｅＮＢ（移動元）に設定されたハンドオーバ判定基準を満足した場合に、ＨｅＮＢ（在圏）切替シーケンスの開始を決定する。
【００８１】
ハンドオーバ開始を決定したＨｅＮＢ（移動元）２−２の無線部５１は、ＨｅＮＢ（移動先）２−４に対して、ハンドオーバ準備を要求するために、ＧＷアドレス、無線ＢＲ−ＩＤを含むハンドオーバ要求を送信する。ハンドオーバ要求を受信したＨｅＮＢ（移動先）２−４の無線プロトコル部５２は、現在ＨｅＮＢ（移動元）２−２で使用中のＧＷアドレス、無線ＢＲ−ＩＤ、ＱｏＳ情報を用いて、ＵＥ１−２の管理情報であるＵＥ情報を生成し、生成したＵＥ情報をデータベース６５に格納する。その後、ＨｅＮＢ（移動先）２−４の無線プロトコル部５２は、ＨｅＮＢ（移動元）２−２に対して、ハンドオーバ要求に対する応答（ハンドオーバ要求応答）を送信する。
【００８２】
ハンドオーバ要求応答を受信したＨｅＮＢ（移動元）２−２の無線プロトコル部５２は、データベース６５に格納しているＵＥ１−２用のＵＥ情報を更新する。そして、ＨｅＮＢ（移動元）２−２は、ＵＥ情報の更新内容に基づいて、ＨｅＮＢ（移動元）２−２宛に送信された下りＳＩＰメッセージをＨｅＮＢ（移動先）２−４宛に転送するとともに、ＵＥ１−２へハンドオーバ指示を送信する。
【００８３】
ＳＩＰ転送経路を確立後、ＨｅＮＢ（移動元）２−２の無線プロトコル部５２は、その他のＵＥ情報をＨｅＮＢ（移動先）２−４に転送する。その他のＵＥ情報を受信したＨｅＮＢ（移動先）２−４の無線プロトコル部５２は、ＵＥ情報を更新する。これにより、ＨｅＮＢ（移動元）２−２とＨｅＮＢ（移動先）２−４との間で、ＵＥ１−２に関するＵＥ情報の同期を取る（ステップＳ６０２）。
【００８４】
ＵＥ１−２は、ＨｅＮＢ（移動先）２−４へのハンドオーバに成功すると、ＨｅＮＢ（移動先）２−４へハンドオーバ完了通知を送信する（ステップＳ６０３）。ＨｅＮＢ（移動先）２−４の無線部５１は、ＵＥ１−２からのハンドオーバ完了通知を受信することで、ＵＥ１−２がＨｅＮＢ（移動先）２−４に在圏したことを認識する。
【００８５】
ステップＳ６０３までの処理によって、固定ＩＰ電話６とＵＥ１−２との間では、ステップＳ６０４で示されるＳＩＰ転送経路が確立される。すなわち、固定ＩＰ電話６からの下りＳＩＰメッセージは、呼制御サーバ３、ＨｅＮＢ（ＧＷ）２−３、ＨｅＮＢ（移動元）２−２、ＨｅＮＢ（移動先）２−４を経由して、ＵＥ１−２に送信される。なお、ＵＥ１−２からの上りＳＩＰメッセージについては、既にＨｅＮＢ（移動元）２−２とＨｅＮＢ（移動先）２−４との間でハンドオーバが完了していることから、ＨｅＮＢ（移動先）２−４を経由して、固定ＩＰ電話６に送信される。
【００８６】
ＨｅＮＢ（移動先）２−４とＨｅＮＢ（ＧＷ）２−３との間でＳＩＰ経路を更新するため、ＨｅＮＢ（移動先）２−４の無線プロトコル部５２は、ＭＭＥ３２に対して、経路変更通知を送信する（ステップＳ６０５）。
【００８７】
経路変更通知を受信したＭＭＥ３２は、ＳＩＰメッセージ転送経路を最適化するため、ベアラ更新要求を開始する。すなわち、ＨｅＮＢ（ＧＷ）２−３のデータベース６５に格納されているＵＥＧＷ情報のうち、在圏ＨｅＮＢアドレスをＨｅＮＢ（移動先）２−４のアドレスに変更を行う（ステップＳ６０６）。
【００８８】
具体的には、ＭＭＥ３２は、ＨｅＮＢ（ＧＷ）２−３に対して、在圏ＨｅＮＢアドレス、無線ＢＲ−ＩＤ、ＵＥ識別子、ＱｏＳ情報を含むベアラ更新要求を送信する。ＨｅＮＢ（ＧＷ）２−３のベアラ制御部６６は、受信したベアラ更新要求に基づいて、ＵＥＧＷ情報の更新を行う。これにより、ＨｅＮＢ（ＧＷ）２−３のＳＩＰＵＡサーバ部６３は、データベース６５に格納されているＵＥ１−２の現在のＨｅＮＢ（在圏）２−４位置などの最新情報を取得することができる。また、ＵＥＧＷ情報を更新することにより、ＨｅＮＢ（在圏）２−４とＨｅＮＢ（ＧＷ）２−３との間で、両方向で通信が可能なＩＰ転送経路を更新することができる。ＨｅＮＢ（ＧＷ）２−３のベアラ制御部６６は、ＭＭＥ３２に対して、ＵＥＧＷ情報を更新した旨のベアラ更新応答を返信する。
【００８９】
これにより、固定ＩＰ電話６からＵＥ１−２への下りＳＩＰメッセージ転送経路の最適化を行うことができたため、ＵＥ１−２と固定ＩＰ電話６との間の双方向のＳＩＰメッセージ転送経路の最適化が完成する（ステップＳ６０７）。
【００９０】
なお、ハンドオーバ完了後、ＨｅＮＢ（移動元）２−２では、データベース６５にＵＥ１−２に関する不要なＵＥ情報を継続して保持している。そのため、ＨｅＮＢ（移動先）２−４の無線プロトコル部５２が、ＨｅＮＢ（移動元）２−２の無線プロトコル部５２に対して、データベース６５に格納されているＵＥ１−２に関するＵＥ情報の削除を指示するＨｅＮＢ設定解除要求を送信する。ＨｅＮＢ（移動元）２−２の無線プロトコル部５２は、受信したＨｅＮＢ設定解除要求に基づいて、データベース６５に格納しているＵＥ１−２に関するＵＥ情報を削除する。ＨｅＮＢ（移動元）２−２の無線プロトコル部５２は、ＵＥ１−２に関するＵＥ情報を削除した旨の応答として、ＨｅＮＢ（移動先）２−４に対して、ＨｅＮＢ設定解除応答を送信する（ステップＳ６０８）。
【００９１】
これにより、Ｘ２ＡＰを利用した場合であっても、Ｓ１ＡＰを利用した場合と同様に、ＵＥ１−２がＨｅＮＢ（在圏）を移動した場合において、ＳＩＰ転送経路を最適な（最短）経路に維持することが可能となる。
【００９２】
図８、９のシーケンス図を用いて、音声通話中におけるハンドオーバ時における内線ＳＩＰ経路の再確立について説明したが、つぎに、内線用音声データ経路の再確立について説明する。図１０は、内線用音声データ経路の再確立動作を示すシーケンス図である。
【００９３】
図８、９のシーケンス図によるハンドオーバ手順によって、ＨｅＮＢ（移動先）２−４とＨｅＮＢ（ＧＷ）２−３との間でＩＰ転送経路が再確立されることにより、ＳＩＰ転送経路の最適化が実現される（ステップＳ７０１）。
【００９４】
ここで、音声データ経路はＨｅＮＢ（移動元）２−２と固定ＩＰ電話６間のＩＰ通信であるため、ハンドオーバ手順にてＵＥ情報を保持するＨｅＮＢ（移動先）２−４から固定ＩＰ電話６への音声データ経路は最短経路を維持できる。すなわち、図７に示す上り音声データ経路と同等である。ＨｅＮＢ（移動先）２−４は、ハンドオーバ手順（ステップＳ７０１）において音声データの転送に必要なフィルタ情報を含むＵＥ情報を、ＨｅＮＢ（移動元）２−２から取得しているためである。
【００９５】
しかしながら、下り音声データ経路において、固定ＩＰ電話６からの音声データは、ＳＩＰによる内線呼確立手順でＨｅＮＢ（移動元）アドレスが利用されているため、ＨｅＮＢ（移動元）２−２からＨｅＮＢ（移動先）２−４へ音声データの転送をすることが必要となる（ステップＳ７０２）。すなわち、固定ＩＰ電話６から、ＨｅＮＢ（ＧＷ）２−３、ＨｅＮＢ（移動元）２−２、ＨｅＮＢ（移動先）２−４を経由して、ＵＥ１−２が音声データを受信する。
【００９６】
そこで、図９に示すシーケンス図のステップＳ６０５と同様に、まず、ＨｅＮＢ（移動先）２−４とＨｅＮＢ（ＧＷ）２−３との間でＳＩＰ経路を更新するため、ＨｅＮＢ（移動先）２−４の無線プロトコル部５２は、ＭＭＥ３２に対して、経路変更通知を送信する（ステップＳ７０３）。
【００９７】
経路変更通知を受信したＭＭＥ３２は、ＳＩＰメッセージ転送経路を最適化するため、ベアラ更新要求を開始する。すなわち、ＨｅＮＢ（ＧＷ）２−３のデータベース６５に格納されるＵＥＧＷ情報のうち、在圏ＨｅＮＢアドレスをＨｅＮＢ（移動先）２−４のアドレスに変更を行う（ステップＳ７０４）。
【００９８】
具体的には、ＭＭＥ３２は、ＨｅＮＢ（ＧＷ）２−３に対して、在圏ＨｅＮＢアドレス、無線ＢＲ−ＩＤ、ＵＥ識別子、ＱｏＳ情報を含むベアラ更新要求を送信する。ＨｅＮＢ（ＧＷ）２−３のベアラ制御部６６は、受信したベアラ更新要求に基づいて、ＵＥＧＷ情報の更新を行う。これにより、ＨｅＮＢ（ＧＷ）２−３のＳＩＰＵＡサーバ部６３は、データベース６５に格納されているＵＥ１−２の現在のＨｅＮＢ（在圏）２−４位置などの最新情報を取得することができる。また、ＵＥＧＷ情報を更新することにより、ＨｅＮＢ（在圏）２−４とＨｅＮＢ（ＧＷ）２−３の間で、両方向で通信が可能なＩＰ転送経路を更新することができる。ＨｅＮＢ（ＧＷ）２−３のベアラ制御部６６は、ＭＭＥ３２に対して、ＵＥＧＷ情報を更新した旨のベアラ更新応答を返信する。
【００９９】
その後、ＨｅＮＢ（ＧＷ）２−３では、ＵＥＧＷ情報の在圏ＨｅＮＢアドレスがＨｅＮＢ（移動先）アドレスに更新したことを契機として、ＨｅＮＢ（ＧＷ）２−３のＳＩＰＵＡライアント機能部６４が、呼制御サーバ３を経由して、ＳＤＰのコネクション情報にＨｅＮＢ（移動先）アドレスを設定したＳＩＰ  ｒｅ−ＩＮＶＩＴＥを固定ＩＰ電話６に送信する。ＳＩＰ  ｒｅ−ＩＮＶＩＴＥを受信した固定ＩＰ電話６は、送信先として登録されている送信先アドレスを、ＨｅＮＢ（移動元）２−２からＨｅＮＢ（移動先）２−４に変更する。そして、固定ＩＰ電話６は、呼制御サーバ３を経由して、２００  ＯＫをＨｅＮＢ（ＧＷ）２−３へ送信する（ステップＳ７０５）。
【０１００】
これにより、音声データ経路も、ＳＩＰ転送経路と同様に、最短経路での通信が可能となる。具体的には、ステップＳ７０６に示す下り音声データ経路は、図７に示すステップＳ４０４の下り音声データ経路と同等であり、ステップＳ７０７に示す上り音声データ経路は、図７に示すステップＳ４０５の上り音声データ経路と同等である。
【０１０１】
以上説明したように、本実施の形態では、ゲートウェイ機能を有するＨｅＮＢ（ＧＷ）が、ＵＥ、ＭＭＥ３２、呼制御サーバ３、固定ＩＰ電話６、ＨｅＮＢ（在圏）との間でＳＩＰ経路を確立する際に、他装置から受信したＳＩＰメッセージに含まれるＳＤＰ情報に基づいて、音声データの転送先を制御するためのフィルタ情報を生成し、当該フィルタ情報をＨｅＮＢ(在圏）２へ送信する。また、ＨｅＮＢ（ＧＷ）は、他装置から受信したＳＩＰメッセージに含まれる無線ベアラ識別子等の情報に基づいてＵＥＧＷ情報を生成する。音声データを受信したＨｅＮＢ(在圏）では、当該音声データと前記フィルタ情報を比較した結果、条件が合致した場合、ＨｅＮＢ（ＧＷ）から受信した音声データをＵＥへ転送し、ＵＥから受信した音声データを固定ＩＰ電話６へ直接転送する。また、固定ＩＰ電話６から下り音声データを受信したＨｅＮＢ（ＧＷ）では、ＵＥＧＷ情報に基づいて、当該音声データをＨｅＮＢ(在圏）へ転送することとした。これにより、データリンク層のアドレス情報を保有しない移動体通信ネットワークにおいて、ＳＩＰ経路、音声データ経路の確立およびその経路最適化が可能となり、無線基地局サブシステムを適用することで内線電話システムを構築することが可能となる。
【０１０２】
なお、ＨｅＮＢ（ＧＷ）とＨｅＮＢ(在圏）が異なる場合を中心に説明したが、同一の場合においても、同様の効果を得ることができる。この場合、ＨｅＮＢ（ＧＷ）とＨｅＮＢ(在圏）の間での通信が省略される点が異なる。
【０１０３】
実施の形態２．
実施の形態１では、ＨｅＮＢ２が、ゲートウェイ機能である呼制御プロトコル処理を行い、また、端末の在圏位置探索を行うこととしたが、これらの機能を他の装置が実行することも可能である。
【０１０４】
図１１−１は、実施の形態１における各装置の配置例を示す図である。ＵＥ群１（ここでは、ＵＥ１−１，ＵＥ１−２）と、４つのＨｅＮＢ群２（ここでは、２−１，２−２，２−３，２−４）と、１つのＭＭＥ３２から構成されている。各ＨｅＮＢの周辺の円は、それぞれのＨｅＮＢの通信エリアを示す。ここでは、ＨｅＮＢ２−１，２−３がゲートウェイとして機能している。
【０１０５】
図１１−２は、本実施の形態（実施の形態２）における各装置の配置例を示す図である。内線基地局ゲートウェイ（ＧＷ）装置８０を備える点が図１１−１と異なる。内線基地局ＧＷ装置８０は、ゲートウェイ機能である呼制御プロトコル処理を行う構成と、ＵＥの在圏位置探索を行う構成を備える。なお、図１１−２では、内線基地局ＧＷ装置８０を１つとしているが、複数配置することも可能である。すなわち、ＭＭＥ３２とＨＳＳ４２との間で行われる内線用ゲートウェイ選択時には、複数ある内線基地局ＧＷ装置８０の中から最適な装置を選択する。なお、ＵＥと固定ＩＰ電話６との間におけるＳＩＰ経路の確立等の処理については、実施の形態１で説明したシーケンス図をそのまま適用可能である。
【０１０６】
このように、ゲートウェイ機能を備える装置をＨｅＮＢと異なる装置に分離した場合であっても、実施の形態１と同様に、データリンク層のアドレス情報を保有しない移動体通信ネットワークにおいてＳＩＰ経路の確立および音声データの経路最適化が可能である。
【０１０７】
実施の形態３．
実施の形態１では、ＨｅＮＢ２−１，２−２，２−３，…のゲートウェイ部６０を経由するＳＩＰメッセージは、すべて呼制御サーバ３に転送されていた。本実施の形態では、複数のＵＥがそれぞれ在圏するＨｅＮＢ（在圏）が同一のＨｅＮＢ（ＧＷ）のゲートウェイ管理下にある場合に、ＨｅＮＢ（在圏）において、ゲートウェイ部６０のＳＩＰＵＡサーバ部６３が、データベース６５に格納されているＵＥＧＷ情報を代理ＳＩＰレジストラとして利用することで、呼制御サーバ３を利用せずに代理呼制御サーバとして動作する。すなわち、呼制御サーバ３を経由しない場合について説明する。
【０１０８】
図１２は、移動体端末であるＵＥ群１（ここでは、ＵＥ１−３，ＵＥ１−４）の間で内線通話を行う場合の動作を示すシーケンス図である。ここでは、実施の形態１で記載される無線プロトコルのシーケンスは同様であるため、詳細な説明については省略する。
【０１０９】
同一のＨｅＮＢ（ＧＷ）２−７管理下にあるＨｅＮＢ（発信元）２−５、ＨｅＮＢ（着信先）２−６の在圏エリアに、それぞれ、ＵＥ１−３、ＵＥ１−４が在圏している。この時、ＵＥ１−３、ＵＥ１−４は、既に内線ＩＭＳ登録を完了しており、ＨｅＮＢ（ＧＷ）２−７のデータベース６５には、ＵＥ１−３のＵＥＧＷ情報、およびＵＥ１−４のＵＥＧＷ情報が格納されている（ステップＳ８０１）。
【０１１０】
ＵＥ１−３は、ＵＥ１−４への内線通話を行うために、入力インターフェースを利用して発信操作を行う。すなわち、ＵＥ１−３は、ＨｅＮＢ（発信元）２−５を経由して、ＨｅＮＢ（ＧＷ）２−７に対して、ＳＩＰ  ＵＲＩ（ＵＥ１−４）、ＵＥアドレスを含むＳＩＰ  ＩＮＶＩＴＥを送信する。ＳＩＰ  ＩＮＶＩＴＥを受信したＨｅＮＢ（ＧＷ）２−７では、ＳＩＰＵＡサーバ部６３が、送信先ＳＩＰ  ＵＲＩ（ＵＥ１−４）の情報に基づいて、データベース６５にＵＥ１−４のＵＥＧＷ情報の有無を確認する（ステップＳ８０２）。
【０１１１】
ＵＥ１−４がＨｅＮＢ（ＧＷ）２−７の管理下に存在する場合、すなわち、ＨｅＮＢ（ＧＷ）２−７のゲートウェイ管理下にあるいずれかのＨｅＮＢに在圏している場合、ＨｅＮＢ（ＧＷ）２−７では、ＳＩＰ転送経路探索手段を開始することにより、ＵＥ１−４までのＳＩＰ転送経路を確立する（ステップＳ８０３）。確立する方法については実施の形態１に示す図６のステップＳ３０３〜Ｓ３０５と同様のため、詳細な説明については省略する。
【０１１２】
ＳＩＰ転送経路が確立すると、ＨｅＮＢ（ＧＷ）２−７のＳＩＰＵＡサーバ部６３は、ＨｅＮＢ（着信先）２−６を経由して、ＵＥ１−４に対して、ＵＥアドレスをＨｅＮＢ（発信元）アドレスに変更したＳＩＰ  ＩＮＶＩＴＥを転送する（ステップＳ８０４）。なお、反対方向であるＵＥ１−４からＵＥ１−３へ内線通話を行う場合も、同様の手順となる。
【０１１３】
上記処理および図示しない実行済みのＳＩＰ  ＱｏＳ確立手順により、ＨｅＮＢ（発信元）２−５では、無線データ制御部５３が、ＵＥ１−３から受信する音声データに関しては、ＴＦＴ情報として、ＲＴＰパケットの送信ポート番号および送信先アドレスに、ＵＥ１−４がＳＤＰ情報に設定したポート番号およびＨｅＮＢ（着信元）アドレスが設定されていた場合、フィルタ情報に合致すると判定して、関連する内線通話用ベアラに割当てられる無線ＢＲ−ＩＤに転送する。すなわち、ＨｅＮＢ（着信元）２−６へ転送する。また、ＨｅＮＢ（発信元）２−５では、無線データ制御部５３が、ＨｅＮＢ（着信元）２−６から受信する音声データに関しては、ＴＦＴ情報として、ＵＥ１−３がＳＤＰ情報に設定したポート番号およびＵＥアドレスが設定されていた場合、フィルタ情報に合致すると判定して、ＵＥ１−３にＲＴＰパケットを転送する。なお、ＨｅＮＢ（着信元）２−６についても、同様の音声データ転送経路となる。
【０１１４】
ＵＥ１−３とＵＥ１−４間のＳＩＰ転送経路および音声データ転送経路は、それぞれ、ステップＳ８０５、Ｓ８０６に示す経路となる。すなわち、ＵＥ１−３が送信した音声データは、ＨｅＮＢ（発信元）２−５からＨｅＮＢ（着信先）２−６を経由して、ＵＥ１−４が受信する。また、ＵＥ１−４が送信した音声データは、ＨｅＮＢ（着信先）２−６からＨｅＮＢ（発信元）２−５を経由して、ＵＥ１−３が受信する。
【０１１５】
なお、ＨｅＮＢ（ＧＷ）２−７のＳＩＰＵＡサーバ部６３が代理呼制御サーバとして動作している場合、呼制御サーバ３は、ＵＥ１−３およびＵＥ１−４の通信状態と異なる呼管理情報を保持することになる。そのため、ＨｅＮＢ（ＧＷ）２−７のＳＩＰＵＡサーバ部６３は、呼制御サーバ３からＵＥ１−３宛のＳＩＰ  ＩＮＶＩＴＥを受信した場合、ＵＥ１−３のＵＥＧＷ情報の状態を確認して、代理ＳＩＰ応答（４８６  Ｂｕｓｙ  Ｈｅｒｅ）を返信する（ステップＳ８０７）。
【０１１６】
以上説明したように、本実施の形態では、同一のゲートウェイ管理下にあるＵＥ１同士が内線電話を行う場合においても、実施の形態１と同様、データリンク層のアドレス情報を保有しない移動体通信ネットワークにおいてＳＩＰ経路の確立および音声データの経路最適化が可能である。なお、実施の形態１に基づいて説明したが、実施の形態２にも適用することが可能である。また、実施の形態１においてハンドオーバ時の処理等について説明しているが、同様に、本実施の形態にも適用可能である。
【産業上の利用可能性】
【０１１７】
以上のように、本発明にかかる内線電話システムは、外線電話と内線電話を同一の端末を用いて実現する場合に有用であり、特に、既存のネットワーク構成を利用して実現することに適している。
【符号の説明】
【０１１８】
１  移動体端末群（ＵＥ群）
１−１，１−２ｂ，１−３ｃ，１−４  移動体端末（ＵＥ）
２  無線基地局群（ＨｅＮＢ群）
２−１，２−２，２−３，２−４，２−５，２−６，２−７  無線基地局（ＨｅＮＢ）
３  呼制御サーバ
４  Ｒａｄｉｕｓサーバ
５  ＭＧＷ
６  固定ＩＰ電話
１０  ローカルネットワーク
２０  ブローバンド回線
３０  コアネットワーク
３１  セキュリティＧＷ
３２  ＭＭＥ
３３  Ｓ−ＧＷ
３４  Ｐ−ＧＷ
４０  通信事業者サービス網
４１  ＣＳＣＦ
４２  ＨＳＳ
５０  無線制御部
５１  無線部
５２  無線プロトコル部
５３  無線データ制御部
５４  アンテナ
６０  ゲートウェイ部
６１  在圏位置探索部
６２  ＩＰ種別判定部
６３  ＳＩＰＵＡサーバ部
６４  ＳＩＰＵＡクライアント部
６５  データベース
６６  ベアラ制御部
７０  ＩＰ部
８０  内線基地局ＧＷ装置
【図１】
2011244192.tif 000003
【図２】
2011244192.tif 000004
【図３】
2011244192.tif 000005
【図４−１】
2011244192.tif 000006
【図４−２】
2011244192.tif 000007
【図５】
2011244192.tif 000008
【図６】
2011244192.tif 000009
【図７】
2011244192.tif 000010
【図８】
2011244192.tif 000011
【図９】
2011244192.tif 000012
【図１０】
2011244192.tif 000013
【図１１−１】
2011244192.tif 000014
【図１１−２】
2011244192.tif 000015
【図１２】
2011244192.tif 000016